(57)【特許請求の範囲】
【請求項１】
ロールシートを引出し自在に収納するロールシート用収容箱であって、
上部が開放され、前記ロールシートが収納される直方体形状の箱体と、
前記箱体の前記上部を構成する長手方向の一方辺に接続し、前記上部を開閉自在に覆う矩形シート形状の蓋体と、
前記蓋体の長手方向の辺に接続され、前記蓋体が前記上部を覆うとき前記箱体の前記上部を構成する長手方向の他方辺を含む側壁の一部を覆う矩形シート形状の側壁保護体と、
前記側壁保護体の長手方向の端部に切り離し自在に接続され、寸法測定可能な矩形シート形状の測定シートと、
前記測定シートの側に刃部が突出するように前記側壁保護体の背面に取付けられた、前記ロールシートの切断用の刃体とを備え、
前記蓋体と前記側壁保護体との接続部に前記測定シートの差込み用の第１の切込みが形成される、ロールシート用収容箱。
【請求項２】
前記第１の切込みは、前記接続部の中央に形成され、
前記側壁保護体には、前記第１の切込みの下方の位置に第２の切込みが形成され、
前記測定シートには、前記第２の切込みに係合できる舌片が切れ目によって形成される、請求項１記載のロールシート用収容箱。
【請求項３】
前記測定シートを前記舌片を介して取付けた時、目盛の開始位置が前記刃部の位置に対応するように前記目盛は前記測定シートに形成される、請求項２記載のロールシート用収容箱。
【請求項４】
前記測定シートは、前記側壁に分離自在となるように接着される、請求項１から請求項３のいずれかに記載のロールシート用収容箱。
【発明の詳細な説明】
【技術分野】
【０００１】
この発明はロールシート用収容箱に関し、特にロールシートを引出し自在に収納すると共に、ロールシートを切断するために用いられるロールシート用収容箱に関するものである。
【背景技術】
【０００２】
図７は、従来の収納箱を示す図であって、（ａ）は収納箱の概略斜視図であり、（ｂ）は収納箱のカッターの拡大斜視図である。
【０００３】
図を参照して、従来の収納箱７１は、クッキングシート３等を巻き取ったロールシート１を引出し可能に収納するものであって、紙等で形成され、上面が開放された直方体形状の本体７２と、本体７２の長手方向の一方辺に接続された矩形形状の蓋片７８と、蓋片７８の本体７２と接続された辺と対向する辺で接続された矩形形状の掩蓋片８０と、掩蓋片８０の蓋片７８と接続された辺と対向する辺付近に取り付けられたカッター８１とから構成される。
【０００４】
図７の（ｂ）を参照して、カッター８１は、クッキングシート３を切断するためのものであって、山形状の凸歯８３が複数連なり、その先端が鋸歯形状を有し、合金等の金属からなる歯部８２と、合成樹脂等からなり、歯部８２の内方面に当接する厚さ２〜１０μｍの保護層８５と、保護層８５に当接する面の反対となる面において、掩蓋片８０の内方側に接着剤等によって接着され、引き剥がし可能となる接合部８６とから構成される。
【０００５】
使用に際して、収納箱７１の内部に収納されたロールシート１のクッキングシート３を引出した後、収納箱７１の蓋片７８を本体７１の上面を覆うようにして、掩蓋片８０を本体７２の正面側の側壁に近づけ、カッター８１を用いて、クッキングシート３を切断する。又、収納箱７１の廃棄時には、カッター８１を収納箱７１の掩蓋片８０から引き剥がす際、保護層８５があることによって安全性を高めている。
【先行技術文献】
【特許文献】
【０００６】
【特許文献１】特開２０１２−７６２０７号公報
【発明の概要】
【発明が解決しようとする課題】
【０００７】
上記のような従来の収納箱は、ロールシートから引出したクッキングシートを切断する際、所望の切断長さにするためには別途メジャーを用意する必要があった。又、用意したメジャーを用いて、クッキングシートの長さを測定する際、両手は既に収納箱の操作のためにふさがっているので、測定しにくいものであった。更に、この従来の収納箱のカッターは、保護層があるため、収納箱の掩蓋片から引き剥がす際には安全性を高めたものとなっていたが、使用前の状態においては、カッターが収納箱から露出した状態となっており、安全性に問題があった。
【０００８】
この発明は、上記のような課題を解決するためになされたもので、切断用にメジャーを別途用意する必要がなく、使用勝手が向上すると共に、安全性が向上するロールシート用収容箱を提供することを目的とする。
【課題を解決するための手段】
【００１１】
上記の目的を達成するために、請求項１記載の発明は、ロールシートを引出し自在に収納するロールシート用収容箱であって、上部が開放され、ロールシートが収納される直方体形状の箱体と、箱体の上部を構成する長手方向の一方辺に接続し、上部を開閉自在に覆う矩形シート形状の蓋体と、蓋体の長手方向の辺に接続され、蓋体が上部を覆うとき箱体の上部を構成する長手方向の他方辺を含む側壁の一部を覆う矩形シート形状の側壁保護体と、側壁保護体の長手方向の端部に切り離し自在に接続され、寸法測定可能な矩形シート形状の測定シートと、測定シートの側に刃部が突出するように側壁保護体の背面に取付けられた、ロールシートの切断用の刃体とを備え、蓋体と側壁保護体との接続部に測定シートの差込み用の第１の切込みが形成されるものである。
【００１２】
このように構成すると、使用の際に側壁保護体から切り離された測定シートがメジャーとなる。又、測定シートの使用時の位置が定まる。
【００１３】
請求項２記載の発明は、請求項１記載の発明の構成において、第１の切込みは、接続部の中央に形成され、側壁保護体には、第１の切込みの下方の位置に第２の切込みが形成され、測定シートには、第２の切込みに係合できる舌片が切れ目によって形成されるものである。
【００１４】
このように構成すると、使用の際に測定シートは側壁保護体と共に側壁に押付けられる。
【００１５】
請求項３記載の発明は、請求項２記載の発明の構成において、測定シートを舌片を介して取付けたとき、目盛の開始位置が刃部の位置に対応するように目盛は測定シートに形成されるものである。
【００１６】
このように構成すると、目盛の値が引出されたロールシートの長さに一致する。
【００１７】
請求項４記載の発明は、請求項１から請求項３のいずれかに記載の発明の構成において、測定シートは、側壁に分離自在となるように接着されるものである。
【００１８】
このように構成すると、使用前には刃部が測定シートに覆われる。
【発明の効果】
【００２０】
以上説明したように、請求項１記載の発明は、使用の際に側壁保護体から切り離された測定シートがメジャーとなるため、切断用にメジャーを別途用意する必要がない。又、測定シートの使用時の位置が定まるため、使用勝手が向上する。
【００２１】
請求項２記載の発明は、請求項１記載の発明の効果に加えて、使用の際に測定シートは側壁保護体と共に側壁に押付けられるため、使用状態が安定する。
【００２２】
請求項３記載の発明は、請求項２記載の発明の効果に加えて、目盛の値が引出されたロールシートの長さに一致するため、切断長さが容易に把握できる。
【００２３】
請求項４記載の発明は、請求項１から請求項３のいずれかに記載の発明の効果に加えて、使用前には刃部が測定シートに覆われるため、安全性が向上する。
【図面の簡単な説明】
【００２４】
【図１】この発明の第１の実施の形態によるロールシート用収容箱の使用前の概略斜視図である。
【図２】図１で示したロールシート用収容箱の概略正面図である。
【図３】図２で示したＩＩＩ−ＩＩＩラインから見た概略拡大端面図である。
【図４】図１で示したロールシート用収容箱の測定シートの取付工程を示す概略斜視図である。
【図５】図１で示したロールシート用収容箱の使用状態を示す概略斜視図である。
【図６】図５で示したＶＩ−ＶＩラインから見た概略拡大端面図である。
【図７】従来の収納箱を示す図であって、（ａ）は収納箱の概略斜視図であり、（ｂ）は収納箱のカッターの拡大斜視図である。
【発明を実施するための形態】
【００２５】
図１は、この発明の第１の実施の形態によるロールシート用収容箱の使用前の概略斜視図であり、図２は、図１で示したロールシート用収容箱の概略正面図であり、図３は、図２で示したＩＩＩ−ＩＩＩラインから見た概略拡大端面図である。
【００２６】
これらの図を参照して、ロールシート用収容箱１１は、クッキングシート３等をロール芯２に巻き取ったロールシート１を引出し自在に収納すると共に、クッキングシート３を切断するために用いられるものであって、紙等から形成され、上部１９が開放され、開口１７を有し、その内部にロールシート１が収納される直方体形状の箱体１６と、箱体１６の上部１９を構成する長手方向の一方辺２０に接続され、箱体１６の開口１７を有する上部１９を開閉自在に覆う矩形シート形状の蓋体３１と、蓋体３１の箱体１６と接続された辺と対向する蓋体３１の長手方向の辺３２に接続され、矩形シート形状の側壁保護体３７と、蓋体３１の短手方向の一方辺と側壁保護体３７の短手方向の一方辺とに接続された矩形シート形状の側壁体３４と、蓋体３１の短手方向の他方辺と側壁保護体３７の短手方向の他方辺とに接続された矩形シート形状の側壁体３５と、側壁保護体３７の蓋体３１と接続された辺と対向する側壁保護体３７の長手方向の端部３９にミシン目よりなる引裂線を介して切り離し自在に接続され、その外方面に寸法測定が可能なメジャー５２としての機能を備えた目盛４９が形成された矩形シート形状の測定シート４５と、測定シート４５の側に鋸形状を有する刃部５５が突出するように側壁保護体３７の背面３８に取付けられ、ロールシート１のクッキングシート３を切断する刃体５４とから構成される。
【００２７】
側壁保護体３７は、蓋体３１と側壁保護体３７との接続部４４の中央に形成された第１の切込み４１と、第１の切込み４１の下方の位置に形成された第２の切込み４２とを含む。このように構成した理由については、後述する。又、側壁保護体３７は、ロールシート用収容箱１１の使用前の状態で蓋体３１が箱体１６の開口１７を有する上部１９を覆うとき、箱体１６の上部１９を構成する長手方向の他方辺２１を含む側壁２４の上方の一部を覆う。
【００２８】
測定シート４５は、正面側左方において半円弧状の切れ目４７によって形成され、その背面が箱体１６の正面側の側壁２４に分離自在となるように接着剤等で接着された舌片４６と、舌片４６と同様の形状及び接着用途で舌片４６の右方から順に形成された舌部４８ａ〜４８ｄとを含む。これにより、ロールシート用収容箱１１の使用前の状態において、測定シート４５を箱体１６の側壁２４に接着させることで、側壁保護体３７の背面３８に取付けられた刃体５４は測定シート４５で覆われることになり、安全性が向上する。又、舌片４６は半円弧形状に形成されることで、側壁２４から分離し易くなっている。
【００２９】
次に、ロールシート用収容箱１１を使用状態にするときの説明をする。
【００３０】
図４は、図１で示したロールシート用収容箱の測定シートの取付工程を示す概略斜視図である。
【００３１】
まず、図４の（１）を参照して、ロールシート用収容箱１１の測定シート４５を実線の矢印の方向へ引っ張って、ロールシート用収容箱１１の側壁保護体３７から端部３９で切り離す。これにより、ロールシート用収容箱１１の箱体１６の側壁２４の下方の一部が露出すると共に、刃体５４の刃部５５が露出することになる。尚、図２で示したように、測定シート４５の短手方向の左右辺の各々には、切欠き６２ａ及び６２ｂ、切欠き６３ａ及び６３ｂが形成されており、測定シート４５を引っ張る際に、測定シート４５を掴み易いようにされている。
【００３２】
図４の（２）を参照して、切り離した測定シート４５を、測定シート４５の舌片４６のある短手方向の辺を前方にして、ロールシート用収容箱１１の側壁保護体３７の第１の切込み４１に差込んで係合させる。このように係合させる理由については、後述する。
【００３３】
次に、図４の（３）を参照して、測定シート４５の舌片４６を、ロールシート用収容箱１１の側壁保護体３７の第２の切込み４２に差込んで係合させる。このように係合させる理由については、後述する。そして、ロールシート用収容箱１１の蓋体３１及び測定シート４５が取付けられた側壁保護体３７を、一点鎖線の矢印で示した方向へ、ロールシート用収容箱１１の箱体１６の開口１７を開けるように持ち上げる。次に、箱体１６の内部に収納されたロールシート１のクッキングシート３を、実線の矢印で示した方向へ引出す。その後、ロールシート用収容箱１１の蓋体３１及び側壁保護体３７を、一点鎖線の矢印で示した方向とは反対方向へ、箱体１６の開口１７を覆うように下げる。これによって、使用前の準備が完了する。
【００３４】
図５は、図１で示したロールシート用収容箱の使用状態を示す概略斜視図であり、図６は、図５で示したＶＩ−ＶＩラインから見た概略拡大端面図である。
【００３５】
これらの図を参照して、ロールシート用収容箱１１の箱体１６から引出されたクッキングシート３を切断したい所望の長さＬとなるように、側壁保護体３７に取付けた測定シート４５の目盛４９のメジャー５２によって、測定することができる。そして、ロールシート用収容箱１１の側壁保護体３７に取付けられた刃体５４の刃部５５によって、クッキングシート３は切断される。従って、使用の際に、側壁保護体３７から切り離された測定シート４５がメジャー５２となるので、切断用にメジャー５２を別途用意する必要はない。又、ロールシート用収容箱１１を使用する際、側壁保護体３７から切り離した測定シート４５は、通常では不要となるものであったが、メジャー５２として再利用することができる。
【００３６】
ここで、測定シート４５を側壁保護体３７の第１の切込み４１に差込むことにより、測定シート４５の使用時の位置が定まるので、使用勝手が向上する。又、測定シート４５の舌片４６は、側壁保護体３７の第２の切込み４２に差込んだ状態にある。そのため、使用時には、測定シート４５の舌片４６の上面を指等で押圧して保持すると、測定シート４５と側壁保護体３７とは共に、箱体１６の側壁２４に押付けられることになり、使用状態が安定する。
【００３７】
更に、測定シート４５の目盛４９の開始位置５０は、刃体５４の刃部５５の位置に対応するように、測定シート４５において舌片４６と舌部４８ａとの間の位置に形成されている。このように目盛４９を測定シート４５に形成することによって、目盛４９の値が引出されたロールシート１のクッキングシート３の長さに直接一致するため、切断長さＬが容易に把握できる。
【００３８】
尚、上記の実施の形態では、ロールシート用収容箱は、紙等によって形成されたものであったが、例えばプラスチックのような合成樹脂等の他の材料から形成されたものであっても良い。
【００３９】
又、上記の実施の形態では、ロールシート用収容箱に収納するロールシートは、クッキングシートからなるものであったが、業務用及び家庭用を問わず、例えばアルミホイルやラップフィルム等の他のシートからなるものであっても良い。
【００４０】
更に、上記の実施の形態では、ロールシート用収容箱は、側壁体を有するものであったが、側壁体はなくても良い。
【００４１】
更に、上記の実施の形態では、測定シートは、切欠きを有するものであったが、切欠きはなくても良い。
【００４２】
更に、上記の実施の形態では、蓋体と側壁保護体との接続部は、その中央に第１の切込みが形成されたものであったが、接続部の中央以外に形成されたものであっても良い。又は、第１の切込みはなくても良い。
【００４３】
更に、上記の実施の形態では、側壁保護体は、第２の切込みが形成されたものであったが、第２の切込みはなくても良い。
【００４４】
更に、上記の実施の形態では、測定シートの舌片は、特定の形状を有するものであったが、第２の切込みに係合できるものであれば、それ以外の形状であっても良い。又は、舌片はなくても良い。
【００４５】
更に、上記の実施の形態では、舌部は、特定の形状及び配置を有するものであったが、それ以外の形状及び配置であっても良い。又は、舌部はなくても良い。
【００４６】
更に、上記の実施の形態では、目盛は、その開始位置が刃部の位置に対応するように測定シートに形成されたものであったが、その他の開始位置に形成されても良い。
【００４７】
更に、上記の実施の形態では、測定シートは、ロールシート用収容箱の使用前には舌片及び舌部に付けた接着剤等を介して側壁に接着されたものであったが、側壁に分離自在となるように接着されるものであれば、例えばかしめ付け等の他の接着方法であっても良い。又、舌片及び舌部以外において、接着させるものであっても良い。
【００４８】
更に、上記の実施の形態では、測定シートは、ロールシート用収容箱の側壁保護体に係合させて使用するものであったが、ロールシート用収容箱とは係合させずに、例えばテーブル等の上において使用しても良い。
【００４９】
更に、上記の実施の形態では、第１の切込み及び第２の切込みは、特定の位置に形成されたものであったが、例えば測定シートを切り離すことによって露出されるロールシート用収容箱の箱体の側壁に形成されたものであっても良い。このように構成することにより、使用時に引出したロールシートを上方向へ持ち上げて切断する際、ロールシートの上方に測定シートが位置しないため、ロールシートを切断し易くなる。
【００５０】
更に、上記の実施の形態では、ロールシート用収容箱の測定シートは、側壁保護体から切り離した後にメジャーとして使用するものであったが、ロールシート用収容箱を使用しないときにはロールシート用収容箱の箱体の内部に収納しておいても良い。又は、例えばロールシート用収容箱の長手方向と直交する周囲を覆うように、測定シートをリング形状にして、測定シートの舌片同士を係合させることで、ロールシート用収容箱の蓋体が開かないようにするために使用しても良い。更に、このとき、舌片同士を係合させるのではなく、例えば測定シートに面ファスナー等を取付ける等して、リング形状を保持するものにしても良い。
【００５１】
更に、上記の実施の形態では、側壁保護体と測定シートとは、ミシン目よりなる引裂線を介して切り離し自在に形成されたものであったが、側壁保護体と測定シートとは切り離し自在となるものであれば、別々に形成されたものであっても良い。又、側壁保護体と測定シートとは、切り離し自在となるものであれば、ミシン目よりなる引裂線以外の方法で接続されたものであっても良い。
【符号の説明】
【００５２】
１…ロールシート
１１…ロールシート用収容箱
１６…箱体
１９…上部
２０…一方辺
２１…他方辺
２４…側壁
３１…蓋体
３２…辺
３７…側壁保護体
３８…背面
３９…端部
４１…第１の切込み
４２…第２の切込み
４４…接続部
４５…測定シート
４６…舌片
４７…切れ目
４９…目盛
５０…開始位置
５２…メジャー
５４…刃体
５５…刃部
尚、各図中同一符号は同一又は相当部分を示す。
【図１】
0006346520.tif 000002
【図２】
0006346520.tif 000003
【図３】
0006346520.tif 000004
【図４】
0006346520.tif 000005
【図５】
0006346520.tif 000006
【図６】
0006346520.tif 000007
【図７】
0006346520.tif 000008